(57)【要約】      （修正有）【課題】装飾効果をより高め得る鉢植の装飾用カバーを提供する。【解決手段】鉢植の装飾用カバー１０は、互いに重ね合わされた、上縁部及び下縁部並びに２つの側縁部をそれぞれ有する一対のシート片１２，１４と、両シート片間に配置され両シート片間をこれらの２つの側縁部の一方１２ｃ、１２ｄからその他方１４ｃ、１４ｄに向けて伸びる、弾性を有する弾性帯であってその両端部１６ａ、１６ｂが両シート片の２つの側縁部にそれぞれ固定された弾性帯１６と、弾性帯の両端部にそれぞれ取り付けられ両端部を解除可能に相互連結するファスナー１８とを備える。弾性帯１６は両シート片の２つの側縁部１２ｃ、１２ｄ、１４ｃ、１４ｄ相互間の距離より小さい長さ寸法を有する。【選択図】図１
0003193530.tif 000002
【実用新案登録請求の範囲】
【請求項１】
鉢植の装飾用カバーであって、
互いに重ね合わされた、上縁部及び下縁部並びに２つの側縁部をそれぞれ有する一対のシート片と、
両シート片間に配置され両シート片間をこれらの２つの側縁部の一方からその他方に向けて伸びる、弾性を有する弾性帯であってその両端部が両シート片の２つの側縁部にそれぞれ固定された弾性帯と、
前記弾性帯の両端部にそれぞれ取り付けられた、前記両端部を解除可能に相互連結するためのファスナーとを備え、
前記弾性帯は両シート片の２つの側縁部間の距離より小さい長さ寸法を有する、鉢植の装飾用カバー。
【請求項２】
さらに、前記弾性帯の両側方をそれぞれ前記弾性帯と平行に伸びる、両シート片を互いに結合する一対の結合線を有する、請求項１に記載の鉢植の装飾用カバー。
【請求項３】
両シート片は熱可塑性樹脂製の不織布からなり、両シート片は熱溶着により互いに結合されている、請求項２に記載の鉢植の装飾用カバー。
【請求項４】
前記弾性帯は、両シート片の上下両縁部の中間の位置よりも下方に位置する、請求項１〜３のいずれか１項に記載の鉢植の装飾用カバー。
【請求項５】
前記ファスナーは面ファスナーからなる、請求項１〜４のいずれか１項に記載の鉢植の装飾用カバー。
【請求項６】
前記両シート片は互いに色彩を異にする、請求項１〜５のいずれか１項に記載の鉢植の装飾用カバー。
【考案の詳細な説明】
【技術分野】
【０００１】
本考案は、鉢植を装飾するために用いられる装飾用カバーに関する。
【背景技術】
【０００２】
従来、鉢植の装飾用カバーとして、矩形の平面形状を有する一対のシート片からなり、両シート片がこれらの４つの縁部のうちの互いに隣接する２つの縁部において結合されたものが提案されている（後記特許文献１参照）。これによれば、両シート片の非結合の残りの２つの縁部間から両シート片の間に鉢植を挿入することができ、両シート片は、これらの間に挿入された前記鉢植を装飾する働きをなす。
【先行技術文献】
【特許文献】
【０００３】
【特許文献１】実用新案登録第３０００５８６号公報
【考案の概要】
【考案が解決しようとする課題】
【０００４】
本考案の目的は、このような鉢植の装飾に供されるカバーであって装飾効果をより高め得る鉢植の装飾用カバーを提供することにある。
【課題を解決するための手段】
【０００５】
本考案に係る鉢植の装飾用カバーは、互いに重ね合わされた、上縁部及び下縁部並びに２つの側縁部を有する一対のシート片と、両シート片間に配置され両シート片間をこれらの２つの側縁部の一方からその他方に向けて伸びる、弾性を有する弾性帯であってその両端部が両シート片の２つの側縁部にそれぞれ固定された弾性帯と、前記弾性帯の両端部にそれぞれ取り付けられた、前記両端部を解除可能に相互連結するためのファスナーとを備え、前記弾性帯は両シート片の２つの側縁部間の距離より小さい長さ寸法を有する。
【０００６】
本考案に係る装飾用カバーによる鉢植の装飾は、両シート片をこれらが鉢植の周囲を取り巻くように配置し、両シート片を鉢植に取り付けることにより行うことができる。両シート片の前記鉢植への取り付けは、前記鉢植の鉢の周囲において弾性帯を引き伸ばし、その両端をファスナーで止めることにより行うことができる。
【０００７】
本考案にあっては、前記弾性帯の両端が両シート片の２つの側縁部にそれぞれ固定され、また、前記弾性帯の長さ寸法が両シート片の２つの側縁部間の距離より小さいことから、両シート片はこれらの２つの側縁部間で前記弾性帯に沿って生じた複数の襞や皺を有する。これらの襞や皺は、両シート片の前記鉢植への取り付け後においても前記鉢植の周囲に残り、前記鉢植の装飾効果を高める作用をなす。
【０００８】
前記装飾用シートは、さらに、前記弾性帯の両側方をそれぞれ前記弾性帯と平行に伸びる、両シート片を互いに結合する一対の結合線を有するものとすることができる。これによれば、両シート片の一体性がより高められるとともに、前記弾性帯が両結合線間に留められ、両シート片間における前記弾性帯の遊びが制限される。両シート片はこれらを熱可塑性樹脂製の不織布からなるものとし、かつ、両シート片を熱溶着により相互に結合することができる。
【０００９】
前記弾性帯は、両シート片の上下両縁部間の中間の位置の下方に配置することができる。これにより、前記装飾用シートの前記鉢植への取り付けに際して、前記弾性帯の前記鉢植の鉢の周りへの位置決めを容易にすることができる。前記ファスナーは、例えば、面ファスナーからなるものとし、また、前記装飾用シートの装飾性能をより高めるために前記両シート片の色彩をそれぞれ異なるものとすることが望ましい。
【図面の簡単な説明】
【００１０】
【図１】弾性帯が引き伸ばされた状態にあるときの装飾用カバーの平面図である。
【図２】弾性帯が引き伸ばされていない状態にあるときの装飾用カバーの斜視図である。
【図３】両シート片が鉢植の周囲を取り巻く前の状態にある装飾用カバーの斜視図である。
【図４】両シート片が鉢植の周囲を取り巻いた状態にある装飾用カバーの斜視図である。
【図５】両シート片が鉢植の周囲を取り巻きかつこれらの上縁部が折り曲げられた状態にある装飾用カバーの斜視図である。
【考案を実施するための形態】
【００１１】
図１及び図２を参照すると、鉢植の装飾用カバーが全体に符号１０で示されている。装飾用カバー１０による鉢植２０の装飾（図４及び図５参照）は、後述するように、装飾用カバー１０を構成する後記一対のシート片１２，１４で鉢植２０すなわち鉢２２及び該鉢に植えられた草花のような植物２４の双方の周囲を取り巻き、両シート片１２，１４を鉢植２０の鉢２２に取り付けることにより行う。
【００１２】
装飾用カバー１０は、互いに重ね合わされた一対のシート片１２，１４（図２参照）と、両シート片１２、１４間に配置されたゴム紐のような弾性帯１６と、該弾性帯の両端部１６ａ、１６ｂを相互に連結するためのファスナー１８とを備える。
【００１３】
両シート片１２、１４は、図示の例では矩形の平面形状を有する。両シート片１２、１４は、それぞれ、前記矩形の四辺に沿って伸びる上縁部１２ａ、１４ａと、下縁部１２ｂ、１４ｂと、２つの側縁部１２ｃ、１４ｃ及び１２ｄ、１４ｄとを有する。両シート片１２、１４の平面形状は、装飾用カバー１０の装飾性を考慮して、前記矩形以外の他の任意の形のものを選択することができる。上縁部１２ａ、１４ａ及び下縁部１２ｂ、１４ｂは、直線状に伸びる図示の例に代えて、これらの双方又は一方のみが曲線状あるいは折線状に伸びるものとすることができる。
【００１４】
また、図示の両シート片１２，１４は熱可塑性樹脂製の不織布からなる。両シート片１２，１４は、前記不織布からなるものに代えて、例えば、織布、プラスチックフィルム等からなるものとすることができる。また、両シート片１２、１４は互いに異なる色彩又は同一の色彩を有するものとすることができる。
【００１５】
両シート片１２、１４は、好ましくは、装飾対象である鉢植２０（図３参照）の上下方向長さ（高さ）とほぼ同じ縦方向長さすなわち両シート片１２，１４の上下両縁部１２ａ、１４ａ間の距離を有する。また、両シート片１２、１４は、好ましくは、鉢植２０の周方向長さより大きい横方向長さすなわち両側縁部１２ｃ、１４ｃ及び１２ｄ、１４ｄ間の距離を有する。これによれば、鉢植２０の全部すなわちこれを構成する鉢２２及び該鉢に植えられた植物２６の双方の周囲を両シート片１２，１４で取り巻くことができる（図４）。あるいは、また、両シート片１２、１４の上縁部１２ａ、１４ａを下縁部１２ｂ、１４ｂに向けて折り曲げ、植物２４の一部が露出するようにした、図４に示す装飾態様とは異なる装飾態様を実現することができる（図５）。両シート片の上縁部１２ａ、１４ａの前記折り曲げも、また、装飾用カバー１０の装飾性の向上に寄与する。但し、両シート片１２，１４の前記縦方向長さ及び横方向長さは任意に定めることが可能である。また、装飾対象である鉢植２０の鉢２２の全体的な形状は、図示の例におけるような切頭円錐形、円筒形、角筒形等のいずれであってもよい。
【００１６】
両シート片１２、１４間に配置された弾性帯１６は、両シート片１２、１４間をこれらの一方の側縁部１２ｃ、１４ｃから他方の側縁部１２ｄ、１４ｄに向けて伸びている。また、弾性帯１６、その両端部１６ａ、１６ｂが両シート片の一方の側縁部１２ｃ、１４ｃと他方の側縁部１２ｄ、１４ｄとにそれぞれ固定されている。
【００１７】
弾性帯１６は、両シート片１２、１４の前記横方向長さより小さい長さ寸法を有する。図１に示すところでは、弾性帯１６はその弾性範囲内において両シート片１２、１４の前記横方向長さまで引き伸ばされた状態にある。したがって、弾性体１６をその引き伸ばし前の状態に戻すと、両シート片１２，１４の一方の側縁部１２ｃ、１４ｃと他方の側縁部１２ｄ、１４ｄとの間の一部分に、弾性帯１６に沿って、複数の襞や皺２６が生じる（図２）。これらの襞や皺２６は、装飾用カバー１０の装飾性能をより一層高める働きをなす。
【００１８】
装飾用カバー１０による鉢植２０の装飾のために両シート片１２，１４で鉢植２０の周囲を取り巻くとき、弾性帯１６が鉢２２の周囲を取り巻く位置にあるようにする。両シート片１２，１４で鉢植２０の周囲を取り巻いた後、鉢２２の周囲を取り巻く弾性帯１６を引き伸ばしてその両端部１６ａ、１６ｂを相互に近付け、連結すると、鉢２２がその周囲から両シート片１２，１４の一方と弾性帯１６とにより締め付けられる。その結果、両シート片１２、１４が鉢２２に固定され、これにより装飾用カバー１０が鉢植２０に取り付けられる。このとき、両シート片１２，１４に生じた前記襞や皺２６が消えずに残る。
【００１９】
弾性帯１６の両端部１６ａ、１６ｂの相互連結は、ファスナー１８を介して、解除可能に行うことができる。図示のファスナー１８は従来周知の面ファスナーからなる。前記面ファスナーは、多数の鉤状突起が設けられた布片１８ａと、前記鉤状突起が係止可能である多数のパイルが設けられた布片１８ｂとからなる。布片１８ａ、１８ｂは、好ましくは、これらが相互係止関係におかれたときに両シート片１２，１４の内側に隠れるように、両シート片１２，１４の一方の側縁部１２ｃ、１４ｃ及び弾性体１６の一端部１６ａと、両シート片１２，１４の他方の側縁部１２ｄ、１４ｄ及び弾性体１６の他端部１６ｂとにそれぞれ固定されている。ファスナー１８の両布片１８ａ、１８ｂは、それぞれ、弾性帯１６の伸長方向に関する長さを比較的大きいものに設定することができ、これにより、装飾対象である鉢植２０の鉢２２の周方向長さと弾性帯１６の長さ寸法との間に存する差を調整した両弾性帯１６の両端部１６ａ、１６ｂの相互連結を行うことができる。前記ファスナーとして、図示の面ファスナーに代えて、例えばホック（図示せず）とすることができる。
【００２０】
装飾用カバー１０は、さらに、弾性帯１６の両側方をそれぞれ該弾性帯と平行に伸びる、両シート片１２、１４を互いに結合する一対の結合線２８、３０を有する。両結合線２８，３０は、それぞれ、両シート片１２、１４の一方の側縁部１２ｃ、１４ｃから他方の側縁部１２ｄ、１４ｄまで断続的に伸びている。両シート片１２，１４を２つの結合線２８，３０において相互結合することにより、両シート片１２、１４相互を離れにくくし、また、弾性帯１６の両シート片１２、１４間における遊びを少なくすることができる。
【００２１】
また、弾性帯１６は、好ましくは、両シート片１２、１４の上下両縁部１２ａ、１４ａ及び１２ｂ、１４ｂ間の中間位置よりも下方の位置を伸びるように設定する。この位置は、両シート片１２、１４を鉢植２０の周囲に配置したとき、鉢植２０の下部を構成する鉢２２に相対する位置にほぼ相当する。
【符号の説明】
【００２２】
１０  装飾用カバー
１２、１４  シート片
１６  弾性帯
１８  ファスナー
２０  鉢植
２２  鉢
２６  襞
２８、３０  接合線
【図１】
0003193530.tif 000003
【図２】
0003193530.tif 000004
【図３】
0003193530.tif 000005
【図４】
0003193530.tif 000006
【図５】
0003193530.tif 000007